【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
分散型台帳を使用する資産取引システムであって、
少なくとも１つのプロセッサと、
命令を記憶した少なくとも１つのコンピュータ可読ストレージ媒体であって、前記少なくとも１つのプロセッサによって実行されたとき、前記資産取引システムに、
（ｉ）複数の異なる資産を有するファンドの少なくとも１つのシェアを表すデジタルファンドトークンを作成するため、（ｉｉ）第１の宛先アカウントに関連付けられた秘密鍵で電子的に署名され、（ｉｉｉ）前記ファンドの前記少なくとも１つのシェアの構成を示す、作成要求を受信させ、前記構成は前記ファンドの前記少なくとも１つのシェアにおける複数の異なる資産の各々の数量を含んでおり、
前記作成要求の受信に応答して、
前記ファンドの前記少なくとも１つのシェアによって表される前記複数の異なる資産の各々の数量をエスクローアカウントに入れさせ、
前記複数の異なる資産の各々の前記数量に基づいてデジタルファンドトークンを作成させ、前記デジタルファンドトークンは、前記デジタルファンドトークンより表される前記ファンドの前記少なくとも１つのシェアにおける前記複数の異なる資産のそれぞれの前記数量を指定することによって、前記ファンドの前記少なくとも１つのシェアの前記構成を示し、さらに、
前記デジタルファンドトークンの前記作成を分散型台帳に記録させる
命令を記憶したコンピュータ可読ストレージ媒体と
を備える資産取引システム。
【請求項２】
前記命令は、前記少なくとも１つのプロセッサによって実行されたとき、前記資産取引システムにさらに、
前記作成要求を受信することに応答し、また前記デジタルファンドトークンを作成する前に、
前記ファンドの前記少なくとも１つのシェアによって表される前記複数の異なる資産が前記第１の宛先アカウントに関連付けられていることの確認を前記分散型台帳から受信させる請求項１に記載の資産取引システム。
【請求項３】
前記命令は、前記少なくとも１つのプロセッサによって実行されたとき、前記少なくとも１つのプロセッサにさらに、
前記作成要求を受信することに応答し、また、前記デジタルファンドトークンを作成する前に、
前記複数の異なる資産を表す複数のデジタルトークンを作成させ、
前記複数のデジタルトークンの前記作成を前記分散型台帳に記録させ、
前記作成要求を受信することに応答して、また前記デジタルファンドトークンの作成の一部として、
前記複数の異なる資産を表す前記複数のデジタルトークンをエスクローステートに入れさせ、
前記複数の異なる資産を表す前記複数のデジタルトークンの前記エスクローステートを前記分散型台帳に記録させる請求項１に記載の資産取引システム。
【請求項４】
前記命令は、前記少なくとも１つのプロセッサによって実行されたとき、前記資産取引システムにさらに、
（ｉ）前記複数の異なる資産を有する前記ファンドの前記少なくとも１つのシェアを表す前記デジタルファンドトークンを償還するため、（ｉｉ）前記第１の宛先アカウントに関連付けられた前記秘密鍵で電子的に署名された、償還要求を受信させ、
前記償還要求を受信することに応答して
前記ファンドの前記少なくとも１つのシェアによって表される前記複数の異なる資産を前記エスクローアカウントから解放させ、
前記デジタルファンドトークンを破棄させ、
前記デジタルファンドトークンの前記破棄を前記分散型台帳に記録させる請求項１に記載の資産取引システム。
【請求項５】
前記命令は、前記少なくとも１つのプロセッサによって実行されたとき、前記資産取引システムにさらに、
前記償還要求の受信に応答し、また前記デジタルファンドトークンを破棄する前に、
前記複数の異なる資産を表す前記複数のデジタルトークンを前記エスクローステートから除去させ、
前記複数の異なる資産を表す前記複数のデジタルトークンの前記エスクローステートの前記除去を前記分散型台帳に記録させる請求項４に記載の資産取引システム。
【請求項６】
前記命令は、前記少なくとも１つのプロセッサによって実行されたとき、前記資産取引システムにさらに、
（ｉ）前記デジタルファンドトークンを転送するため、（ｉｉ）前記第１の宛先アカウントに関連付けられた秘密鍵で電子的に署名された、転送要求を受信させ、
前記償還要求を受信することに応答して、
前記デジタルファンドトークンを前記第１の宛先アカウントから第２の宛先アカウントに転送させ、
前記デジタルファンドトークンの前記転送を前記分散型台帳に記録させる請求項１に記載の資産取引システム。
【請求項７】
前記ファンドは、上場投資信託、ミューチュアルファンド、インデックスファンド、公社債、商品ファンド、通貨ファンド、および不動産ファンドのうちの１つである請求項１に記載の資産取引システム。
【請求項８】
分散型台帳を使用してデジタルファンドトークンを作成および償還する方法であって、
（ｉ）複数の異なる資産を有するファンドの少なくとも１つのシェアを表すデジタルファンドトークンを作成するため、（ｉｉ）第１の宛先アカウントに関連付けられた秘密鍵で電子的に署名され、また（ｉｉｉ）前記ファンドの前記少なくとも１つのシェアの構成を示す、作成要求を受信するステップであって、前記構成は前記ファンドの前記少なくとも１つのシェアの複数の異なる資産の各々の数量を含む、受信するステップと、
前記作成要求を受信することに応答して、
前記ファンドの前記少なくとも１つのシェアによって表される前記複数の異なる資産の各々の前記数量をエスクローアカウントに入れるステップと、
前記複数の異なる資産の各々の前記数量に基づいて前記デジタルファンドトークンを作成するステップであって、前記デジタルファンドトークンは、前記デジタルファンドトークンによって表される前記ファンドの前記少なくとも１つのシェアにおける前記複数の異なる資産の各々の前記数量を指定することによって、前記ファンドの前記少なくとも１つの前記シェアの前記構成を示す、作成するステップと、
前記デジタルファンドトークンの前記作成を前記分散型台帳に記録するステップと
を備える方法。
【請求項９】
前記作成要求を受信することに応答し、また、前記デジタルファンドトークンを作成する前に、
前記ファンドの前記少なくとも１つのシェアによって表される前記複数の異なる資産が前記第１の宛先アカウントに関連付けられていることの確認を前記分散型台帳から受信するステップをさらに備える請求項８に記載の方法。
【請求項１０】
前記作成要求の受信に応答し、また前記デジタルファンドトークンを作成する前に、
前記複数の異なる資産を表す複数のデジタルトークンを作成するステップと、
前記複数のデジタルトークンの前記作成を前記分散型台帳に記録するステップと、
前記作成要求を受信することに応答して、また前記デジタルファンドトークンを作成するステップの一部として、
前記複数の異なる資産を表す前記複数のデジタルトークンをエスクローステートに入れるステップと、
前記複数の異なる資産を表す前記複数のデジタルトークンの前記エスクローステートを前記分散型台帳に記録するステップと
をさらに備える請求項９に記載の方法。
【請求項１１】
（１）前記複数の異なる資産を有する前記ファンドの前記少なくとも１つのシェアを表す前記デジタルファンドトークンを償還するため、（ｉｉ）前記第１の宛先アカウントに関連付けられた前記秘密鍵で電子的に署名される、償還要求を受信するステップと、
前記償還要求を受信することに応答して、
前記ファンドの前記少なくとも１つのシェアによって表される前記複数の異なる資産を前記エスクローアカウントから解放するステップと、
前記デジタルファンドトークンを破棄するステップと、
前記デジタルファンドトークンの前記破棄を前記分散型台帳に記録するステップと
をさらに備える請求項８に記載の方法。
【請求項１２】
前記償還要求を受信することに応答し、また前記デジタルファンドトークンを破棄する前に、
前記複数の異なる資産を表す前記複数のデジタルトークンを前記エスクローステートから除去するステップと、
前記複数の異なる資産を表す前記複数のデジタルトークンの前記エスクローステートの前記除去を前記分散型台帳に記録するステップと
をさらに備える請求項１１に記載の方法。
【請求項１３】
（ｉ）前記複数の異なる資産を有する前記ファンドの前記少なくとも１つのシェアを表す前記デジタルファンドトークンを転送するため、（ｉｉ）前記第１の宛先アカウントに関連付けられた秘密鍵で電子的に署名される、転送要求を受信するステップと、
前記転送要求を受信するステップに応答して
前記デジタルファンドトークンを前記第１の宛先アカウントから第２の宛先アカウントに転送するステップと、
前記デジタルファンドトークンの前記転送を前記分散型台帳に記録するステップと
をさらに備える請求項８に記載の方法。
【請求項１４】
前記ファンドは、上場投資信託、ミューチュアルファンド、インデックスファンド、公社債、商品ファンド、通貨ファンド、および不動産ファンドのうちの１つである請求項８に記載の方法。
【請求項１５】
非一時的コンピュータ可読ストレージ媒体であって、１つまたは複数のプロセッサによって実行されたとき、マシンに、
（ｉ）複数の異なる資産を有するファンドの少なくとも１つのシェアを表すデジタルファンドトークンを作成するため、（ｉｉ）第１の宛先アカウントに関連付けられた秘密鍵で電子的に署名され、また（ｉｉｉ）前記ファンドの前記少なくとも１つのシェアの構成を示す、作成要求を受信させ、前記構成は前記ファンドの前記少なくとも１つのシェアにおいて複数の異なる資産の各々の数量を含んでおり、
前記作成要求の受信に応答して、
前記ファンドの前記少なくとも１つのシェアによって表される前記複数の異なる資産の各々の数量をエスクローアカウントに入れさせ、
前記複数の異なる資産の各々の前記数量に基づいて前記デジタルファンドトークンを作成させ、前記デジタルファンドトークンは、前記デジタルファンドトークンにより表される前記ファンドの前記少なくとも１つのシェアにおける前記複数の異なる資産の各々の前記数量を指定することによって前記ファンドの前記少なくとも１つのシェアの前記構成を示し、さらに、
前記デジタルファンドトークンの前記作成を分散型台帳に記録させる
命令のセットを含む非一時的コンピュータ可読ストレージ媒体。
【請求項１６】
前記命令は、１つまたは複数のプロセッサによって実行されたとき、前記マシンにさらに、
前記作成要求の受信に応答して、また前記デジタルファンドトークンを作成する前に、
前記ファンドの前記少なくとも１つのシェアによって表される前記複数の異なる資産が前記第１の宛先アカウントに関連付けられていることの確認を前記分散型台帳から受信させる請求項１５に記載の非一時的コンピュータ可読ストレージ媒体。
【請求項１７】
前記命令は、１つまたは複数のプロセッサによって実行されたとき、前記マシンにさらに、
前記作成要求の受信に応答して、前記デジタルファンドトークンを作成する前に、
前記複数の異なる資産を表す複数のデジタルトークンを作成させ、
前記複数のデジタルトークンの前記作成を前記分散型台帳に記録させ、
前記作成要求の受信に応答し、また前記デジタルファンドトークンの作成の一部として、
前記複数の異なる資産を表す前記複数のデジタルトークンをエスクローステートに入れさせ、
前記複数の異なる資産を表す前記複数のデジタルトークンの前記エスクローステートを前記分散型台帳に記録させる請求項１６に記載の非一時的コンピュータ可読ストレージ媒体。
【請求項１８】
前記命令は、１つまたは複数のプロセッサによって実行されたとき、前記マシンにさらに、
（ｉ）前記複数の異なる資産を有する前記ファンドの前記少なくとも１つのシェアを表す前記デジタルファンドトークンを償還するため、（ｉｉ）前記第１の宛先アカウントに関連付けられた前記秘密鍵で電子的に署名された、償還要求を受信させ、
前記償還要求の受信に応答して、
前記ファンドの前記少なくとも１つのシェアによって表される前記複数の異なる資産を前記エスクローアカウントから解放させ、
前記デジタルファンドトークンを破棄させ、
前記デジタルファンドトークンの前記破棄を前記分散型台帳に記録させる
請求項１５に記載の非一時的コンピュータ可読ストレージ媒体。
【請求項１９】
前記命令は、１つまたは複数のプロセッサによって実行されたとき、前記マシンにさらに、
前記償還要求の受信に応答して、また前記デジタルファンドトークンを破棄する前に、
前記複数の異なる資産を表す前記複数のデジタルトークンを前記エスクローステートから除去させ、
前記複数の異なる資産を表す前記複数のデジタルトークンの前記エスクローステートの前記除去を前記分散型台帳に記録させる請求項１８に記載の非一時的コンピュータ可読ストレージ媒体。
【請求項２０】
前記ファンドは、上場投資信託、ミューチュアルファンド、インデックスファンド、公社債、商品ファンド、通貨ファンド、および不動産ファンドのうちの１つである請求項１５に記載の非一時的コンピュータ可読ストレージ媒体。
【手続補正２】
【補正対象書類名】明細書
【補正対象項目名】００１１
【補正方法】変更
【補正の内容】
【００１１】
[0022]ミューチュアルファンドは、複数の発明者からの資金をプールして証券またはその他の資産のグループを購入する、専門的に管理された投資ファンドである。インデックスファンドは、（Ｓ＆Ｐ５００株価指数またはダウ工業株３０種平均など主要インデックスを追跡することによってなど）特定の事前設定済みのルールに従うようにして、ファンドが証券および／または資産の特定のグループを追跡できるように設計されたミューチュアルファンドである。ＥＴＦは、インデックス、商品、公社債、またはミューチュアルファンドもしくはインデックスファンドなど資産のグループを追跡する市場性のある証券である。ＥＴＦは、プライマリおよびセカンダリという２つのレベルの取引アクティビティを有する。プライマリ市場において、ＥＴＦ指定プロバイダは、ＥＴＦシェアと引き換えに現物証券の公開済みグループおよび公開済みキャッシュコンポーネントを交換する。これらのグループは、概して、非常に大きく、１つの作成または償還単位は、固定された数のＥＴＦシェアと等しい。比率は、製品によって異なるが、通常は単位あたり５０、０００ＥＴＦシェアであり、ファンドマネージャは、作成単位と称される（５０、０００シェアなど）大型ブロックの（ブローカディーラなど）機関投資家にシェアを発行するか、または機関投資家からシェアを償還することができる。作成単位トランザクションは、現物証券および／またはＥＴＦのベンチマークインデックスに含まれる証券の、実質的なレプリケーション、つまり表現を構成するキャッシュの指定されたポートフォリオの預入れまたは引渡しと引き換えに実施されてもよい。通常、ＥＴＦの個々のシェアは、市場価格でブローカディーラを通じて国法証券取引所、電子クロッシングネットワーク、またはその他の代替の取引システムにおいてのみ、購入および売却されてもよい。多くの機関および個人クライアントは、セカンダリ市場においてＥＴＦシェアを取引する。例示的な実施形態において、ＥＴＦシェア作成および償還は、（１）ＥＴＦシェアの現物作成、および（２）ＥＴＦシェアのキャッシュ作成、という２つの方式において生じうる。ＥＴＦシェアの現物作成の例示的な実施形態において、証券のバスケット／グループは、ＥＴＦシェアのブロック（「作成単位」）に対して交換され、ＥＴＦシェアを作成／償還できる機能は常に、有望な特性として歓迎される。ＥＴＦシェアのキャッシュ作成の例示的な実施形態において、マーケットメーカ（ＭＭ）または指定プロバイダ（ＡＰ）は、オリジネータへの引渡しについて特定のＥＴＦコンポーネントを取引することはできず、キャッシュ等価物がオリジネータに対して代用される。すべてのＥＴＦがキャッシュ作成を許可するわけではない。